(57)【要約】【課題】ガスの使用先に設置され、ガス漏れ検知部３１１からのガス漏れ警報信号Ｓ１を警備会社端末機４へ通報したり、ガス流量計３２２の出力から得られるガス使用量信号をガス会社のコンピュータ３に送信する端末システム１を安価に構成する。【解決手段】欧州で省配線化を実現したビットレベル信号を扱うオープンネットワークとして高シェアを占めるＡＳ−ｉ（Ａｃｔｕａｔｏｒ　Ｓｅｎｓｏｒ−ｉｎｔｅｒｆａｃｅ）を応用する。ここでＡＳ−ｉマスタＭＳは共通伝送路であるＡＳ−ｉケーブル２００に接続されたＡＳ−ｉスレーブＳＬ２からガス漏れ警報信号Ｓ１を、同じくＡＳ−ｉスレーブＳＬ４からガス流量計３２２の出力を変換したガス使用量増分信号Ｓ３を定周期で受信する。インターネット通信端末機１１０はマスタＭＳが受信したガス漏れ警報信号Ｓ１とガス使用量増分信号Ｓ３を所定の複数期間分ずつ加算したガス使用量信号を電子メールにし電話回線網２経由で各々の送信先に送る。【選択図】　　　　図１
2004133863.tif 000002
【特許請求の範囲】
【請求項１】
電話回線網に接続され、燃料用ガスの使用料金の課金の対象者別のガスの使用量を収集管理するガス使用量収集管理手段と、
前記課金の対象者のガスの使用場所に応じて前記電話回線網に接続された複数のガス関連機器端末システムとを有し、
前記ガス関連機器端末システムが、
使用するガスの流量を計測する１または複数のガス流量計測手段のそれぞれに対応して設けられ、該ガス流量計測手段から出力されるガス流量信号を入力し、所定期間ごとに該期間内におけるガス使用量を示すデジタル信号としてのガス使用量増分信号を生成する手段と、
前記ガス流量計測手段それぞれに対応して、共通のデジタル伝送路であるＡＳ−ｉケーブル上に設けられ、対応する前記ガス使用量増分信号生成手段が生成した前記所定期間ごとのガス使用量増分信号を入力するＡＳ−ｉスレーブと、
前記ＡＳ−ｉケーブルを介し前記の各ＡＳ−ｉスレーブのアドレスを順次指定しつつ、各当該ＡＳ−ｉスレーブから該ＡＳ−ｉスレーブが入力した前記所定期間ごとのガス使用量増分信号を受信収集することを繰り返すＡＳ−ｉマスタと、該ＡＳ−ｉマスタが収集した前記ガス流量計測手段別の前記所定期間ごとのガス使用量増分信号をさらに順次、該所定期間の１または所定の複数期間分ずつ加算してなるガス使用量信号を逐次、前記電話回線網を介しインターネットの電子メールによって前記ガス使用量収集管理手段に送信する手段とを備えてなることを特徴とするガス関連機器の広域情報通信システム。
【請求項２】
予め燃料用ガスの使用の異常情報の受付先として登録されて電話回線網に接続された１または複数の異常受付端末手段と、
ガスの使用場所に応じて前記電話回線網に接続された複数のガス関連機器端末システムとを有し、
前記ガス関連機器端末システムが、
自身の設置場所におけるガスの濃度が所定値を超えたことを検出してそれぞれガス漏れ警報信号を出力する１または複数のガス漏れ検知手段に対応し、共通のデジタル伝送路であるＡＳ−ｉケーブル上に設けられた１または複数のＡＳ−ｉスレーブと、
前記ＡＳ−ｉケーブルを介し前記の各ＡＳ−ｉスレーブのアドレスを順次指定しつつ、各当該ＡＳ−ｉスレーブから該ＡＳ−ｉスレーブが入力した前記ガス漏れ警報信号を受信することを繰り返すＡＳ−ｉマスタと、
該ＡＳ−ｉマスタが受信した前記ガス漏れ警報信号を逐次、該ガス漏れ警報信号を出力した前記ガス漏れ検知手段ごとに予め設定されている前記異常受付端末手段に宛て前記電話回線網を介しインターネットの電子メールによって送信する手段とを備えてなることを特徴とするガス関連機器の広域情報通信システム。
【請求項３】
請求項２に記載のガス関連機器の広域情報通信システムにおいて、
前記異常受付端末手段が、携帯電話を含むことを特徴とするガス関連機器の広域情報通信システム。
【請求項４】
請求項２または３に記載のガス関連機器の広域情報通信システムにおいて、
前記ＡＳ−ｉマスタが、前記ガス漏れ警報信号を受信した相手のＡＳ−ｉスレーブを介して当該のガス漏れの対象とみなされるガスの使用先へのガス管路を開閉するガス遮断弁を閉鎖させるようにしたことを特徴とするガス関連機器の広域情報通信システム。
【発明の詳細な説明】
【０００１】
【発明の属する技術分野】
この発明は、ガス漏れ警報器やガスの使用量を監視するガスメータなどの燃料用ガスの関連機器と組み合わされ、インターネットを介してガス漏れ警報信号を警備会社などに通報したり、ガスの使用量信号を収集して検針処理を行うガス会社の管理コンピュータに伝えたりする複数のガス関連機器端末システムからなるガス関連機器の広域情報通信システムに関する。
【０００２】
【従来の技術】
この種の、ガス関連機器における広域情報通信システムとしては、例えば、本出願人等の先願に開示された技術がある（特許文献１参照。）。
【０００３】
図３はこの広域情報通信システムの概略の構成を示す。このシステムは、無線で各家庭に設置されたガスメータやガス漏れ警報器から得られる情報をガス会社に伝送して集計処理を行う。
【０００４】
即ち、この広域情報通信システムは、燃料用ガスの使用量を測定するガスメータ４と、このガスメータ４と電気的に接続される無線機６と、この無線機６と無線通信を行う無線機７と、自律的に中継先を選択する中継機能を有し無線機７と電気的に接続される無線機８と、この無線機８と同機能を有する無線機８ｚと電気的に接続される管理コンピュータ５を有している。
【０００５】
ここで、無線機８のいずれも直接または他の１つ以上の無線機８の中継機能によって中継されることにより他の全ての無線機８と通信可能である。管理コンピュータ５は任意のガスメータ４の検針値（ガス使用量）を収集するため、任意のガスメータ４に対し上記の通信路を介して検針値の問い合わせを行い、ガスメータ４はこの問い合わせに対し測定された検針値を上記の通信路を介して応答する。
【０００６】
このように、各家庭に設置されたガスメータのデータを収集することにより、検針者が各家庭を巡回する必要がなくなり、検針の時間や費用を低減することができる。
【０００７】
【特許文献１】
特開２００１−２８３３６７号公報（第１０頁、第１図）
【０００８】
【発明が解決しようとする課題】
しかしながら、図３の方式では、中継機能を有する無線機８を多数設置しないと広域情報通信システムが構築できず、このシステムが網羅するエリアが広ければ広いほど上記無線機の設置に要するイニシャルコストがかかるという問題がある。
【０００９】
本発明の目的は、この問題を解消しＡＳ−ｉ（Ａｃｔｕａｔｏｒ　Ｓｅｎｓｏｒ−ｉｎｔｅｒｆａｃｅ）オープンネットワークを利用することにより比較的少ない費用で多数のガス関連機器の情報を収集することができるガス関連機器の広域情報通信システムを提供することにある。
【００１０】
【課題を解決するための手段】
前記の課題を解決するために、請求項１のガス関連機器の広域情報通信システムは、
電話回線網（２）に接続され、燃料用ガスの使用料金の課金の対象者別のガスの使用量を収集管理するガス使用量収集管理手段（ガス会社の管理コンピュータ３など）と、
前記課金の対象者のガスの使用場所に応じて前記電話回線網に接続された複数のガス関連機器端末システム（１）とを有し、
前記ガス関連機器端末システムが、
使用するガスの流量を計測する１または複数のガス流量計測手段（ガス流量計３２２）のそれぞれに対応して設けられ、該ガス流量計測手段から出力されるガス流量信号（３２２ａ）を入力し、所定期間ごとに該期間内におけるガス使用量を示すデジタル信号としてのガス使用量増分信号（Ｓ３）を生成する手段（マイコン３２１）と、
前記ガス流量計測手段それぞれに対応して、共通のデジタル伝送路であるＡＳ−ｉケーブル（２００）上に設けられ、対応する前記ガス使用量増分信号生成手段が生成した前記所定期間ごとのガス使用量増分信号を入力するＡＳ−ｉスレーブ（ＳＬ４など）と、
前記ＡＳ−ｉケーブルを介し前記の各ＡＳ−ｉスレーブのアドレスを順次指定しつつ、各当該ＡＳ−ｉスレーブから該ＡＳ−ｉスレーブが入力した前記所定期間ごとのガス使用量増分信号を受信収集することを繰り返すＡＳ−ｉマスタ（ＭＳ）と、
該ＡＳ−ｉマスタが収集した前記ガス流量計測手段別の前記所定期間ごとのガス使用量増分信号をさらに（ＡＳ−ｉマスタＭＳを介し）順次、該所定期間の１または所定の複数期間分ずつ加算してなるガス使用量信号を逐次、前記電話回線網を介しインターネットの電子メールによって前記ガス使用量収集管理手段に送信する手段（インターネット通信端末機１１０）とを備えてなるようにする。
【００１１】
また、請求項２のガス関連機器の広域情報通信システムは、
予め燃料用ガスの使用の異常情報の受付先として登録されて電話回線網（２）に接続された１または複数の異常受付端末手段（警備会社端末機４など）と、
ガスの使用場所に応じて前記電話回線網に接続された複数のガス関連機器端末システム（１）とを有し、
前記ガス関連機器端末システムが、
自身の設置場所におけるガスの濃度が所定値を超えたことを検出してそれぞれガス漏れ警報信号（Ｓ１）を出力する１または複数のガス漏れ検知手段（ガス漏れ検知部３１１）に対応し、共通のデジタル伝送路であるＡＳ−ｉケーブル（２００）上に設けられた１または複数のＡＳ−ｉスレーブ（ＳＬ２など）と、
前記ＡＳ−ｉケーブルを介し前記の各ＡＳ−ｉスレーブのアドレスを順次指定しつつ、各当該ＡＳ−ｉスレーブから該ＡＳ−ｉスレーブが入力した前記ガス漏れ警報信号を受信することを繰り返すＡＳ−ｉマスタ（ＭＳ）と、
該ＡＳ−ｉマスタが受信した前記ガス漏れ警報信号を逐次、該ガス漏れ警報信号を出力した前記ガス漏れ検知手段ごとに予め設定されている前記異常受付端末手段に宛て前記電話回線網を介しインターネットの電子メールによって送信する手段（インターネット通信端末機１１０）とを備えてなるようにする。
【００１２】
また、請求項３のガス関連機器の広域情報通信システムでは、請求項２に記載のガス関連機器の広域情報通信システムにおいて、
前記異常受付端末手段が、携帯電話（６）を含むことようにする。
【００１３】
また、請求項４のガス関連機器の広域情報通信システムでは、請求項２または３に記載のガス関連機器の広域情報通信システムにおいて、
前記ＡＳ−ｉマスタが、前記ガス漏れ警報信号を受信した相手のＡＳ−ｉスレーブを介して（ガス遮断弁駆動信号Ｓ２を出力させて）当該のガス漏れの対象とみなされるガスの使用先へのガス管路を開閉するガス遮断弁（３２５）を閉鎖させるようにする。
【００１４】
本発明の作用は、最近、ヨーロッパで省配線化を実現したビットレベルの信号を取り扱うオープンネットワークとしてデファクトスタンダードとなっているＡＳ−ｉ（Ａｃｔｕａｔｏｒ　Ｓｅｎｓｏｒ−ｉｎｔｅｒｆａｃｅ）を応用し、ガス漏れ警報器が出力するガス漏れ警報信号や、ガスメータの出力信号を変換して得られるガス使用量増分信号等の燃料用ガス関連機器の出力信号を入力する、共通伝送路としてのＡＳ−ｉケーブルにマルチドロップ状に接続されたＡＳ−ｉスレーブ、
ＡＳ−ｉケーブルを介してＡＳ−ｉスレーブが入力した信号を定周期で収集するＡＳ−ｉマスタ、
ＡＳ−ｉマスタの収集データを逐次、電話回線網に送出するインターネット通信端末機等からなるガス関連機器端末システムを各ガス使用先に構築し、
インターネットの電子メールによりガスの使用量信号（上記ガス使用量増分信号を１または所定の複数期間分ずつ順次加算した信号）を検針処理を行うガス会社の管理コンピュータに伝えたり、ガス漏れ警報信号を予め設定された通報相手としての警備会社の端末機や携帯電話などに通報したりするするものである。
【００１５】
【発明の実施の形態】
図１は本発明の一実施例としてのガス関連機器の広域情報通信システムの構成図であるが、図１の説明に入る前にＡＳ−ｉネットワークの概要を簡単に説明する。
【００１６】
このＡＳ−ｉは、ＦＡ　（Ｆａｃｔｏｒｙ　Ａｕｔｏｍａｔｉｏｎ）　ネットワークにおいて、センサやアクチュエータを接続するためのビットレベルの信号を取り扱う、ＥＮ規格（ＥＮ５０２９５）で規定された、フィールドネットワークの中では最下位層に位置する省配線化オープンネットワーク、またはこれに関連して用いられる機器をいう。
【００１７】
この機器としては次に述べるＡＳ−ｉ通信用電源装置ＰＳ１、ＤＣ２４Ｖ補助電源装置ＰＳ２、マスタモジュール（単にマスタまたはＡＳ−ｉマスタともいう）ＭＳ、スレーブモジュール（単にスレーブまたはＡＳ−ｉスレーブともいう）ＳＬ１〜ＳＬ４などがある。
【００１８】
図２はＡＳ−ｉネットワークの構成例を示す。上位にマスタＭＳがあり、マスタＭＳからデジタル伝送路と電源線を兼用した２本の電線（ＡＳ−ｉ＋，ＡＳ−ｉ−）が延びている。この電線ＡＳ−ｉ＋とＡＳ−ｉ−には、通信信号を減衰させないためのデカップリング回路を内蔵したＡＳ−ｉ専用電源ＰＳ１とＤＣ２４Ｖの電源ＰＳ２とが接続される。
【００１９】
スレーブＳＬ１〜ＳＬ４はここでは４台を示すが、最大で３１台接続可能である。このスレーブＳＬ１〜ＳＬ４としては、負荷を制御するための出力のみを持ったもの（スレーブＳＬ１）、センサまたはアクチュエータの信号を取り入れる入力のみを持ったもの（スレーブＳＬ４）、または出力および入力の両方を持ったもの（スレーブＳＬ２，ＳＬ３）等の種類がある。
【００２０】
また、出力を持ったスレーブに対しては、負荷を動作させるためＤＣ電源ＰＳ２を接続するようにしたもの（スレーブＳＬ１，ＳＬ２）と、負荷を動作させるための電源もＡＳ−ｉ電源ＰＳ１からとるようにしたもの（スレーブＳＬ３）とがある。
【００２１】
マスタＭＳはプログラマブルコントローラ（ＰＬＣ）と組み合わせ可能になっており、例えばセンサ等からの入力に対して要求される負荷の動作をさせるため、予めマスタＭＳで必要なプログラムを組み、動作の制御をするようにしている。
【００２２】
次に図１を説明する。なお、図１において図２と同じ符号は同一もしくは相当部分を示す。この図１において、１はガス燃料の個々の使用先としての各家庭や事業所等に設置されるガス関連機器端末システム、２はこの端末システム１が接続されている電話回路網、３は電話回路網２に接続された当該のガスを供給するガス会社における料金管理用のコンピュータ（管理コンピュータと略記する）、４はガスの使用先におけるガス漏れ等の異常時に点検，復旧等の処置を行う、予め定められた処置部門（本例では警備会社）における電話回路網２に接続された端末機、６は同じくガス使用先におけるガス漏れ等の異常時に、電話回路網２上の基地局５を介してその異常情報を受信するように予め指定されている人が持つ携帯電話である。
【００２３】
次にガス関連機器端末システム１において、上位のマスタ制御部１００は、この端末システム１を統括制御する前記ＡＳ−ｉマスタＭＳと、本例では後述のガス漏れ警報信号Ｓ１およびガス使用量信号（つまり、ガス使用量増分信号Ｓ３を順次、１または所定の複数期間分ずつ加算してなる信号）を電話回線網２へイッターネットの電子メールによって送出するイッターネット通信端末器１１０とで構成されている。
【００２４】
なお、このイッターネット通信端末器１１０には、マイクロプロセッサやＯＳ（オペレーションシステム）の違いを超えて動作し、ネットワーク上の利用に適したプログラミング言語であるＪａｖａ（登録商標）を用いたソフトが搭載されている。
【００２５】
ＡＳ−ｉマスタＭＳからは、図外の前記ＡＳ−ｉ電源ＰＳ１が接続された２本の電線（ＡＳ−ｉ＋，ＡＳ−ｉ−）からなるＡＳ−ｉケーブル２００が延びており、このＡＳ−ｉケーブル２００にマルチドロップ状に、ガス漏れ警報信号（本例では１ビット）Ｓ１の入力とガス遮断弁駆動信号（本例では１ビット）Ｓ２の出力を行う前記ＡＳ−ｉスレーブＳＬ２、およびガス使用量増分信号（４ビット）Ｓ３を入力する前記ＡＳ−ｉスレーブＳＬ４が接続され、また、上記のＡＳ−ｉスレーブＳＬ２には、負荷を動作させるためのＤＣ電源ＰＳ２が接続されている。
【００２６】
なお、ＡＳ−ｉケーブル２００に接続されるＡＳ−ｉスレーブの台数として本例では２台のみを示しているが、前述のようにスレーブは最大３１台接続可能である。また、本例ではスレーブＳＬ２の本体部分とスレーブＳＬ４はＬＳｉチップからなり、各ＬＳｉチップのその外部への配線接続は圧接によって行われ、配線工数の削減が計られている。
【００２７】
ここで、ＡＳ−ｉスレーブＳＬ２は、その設置箇所のガス濃度が所定値を超えた時、これを検出してガス漏れ警報信号Ｓ１をスレーブＳＬ２へ送出するガス漏れ検知器３１１と、このガス漏れ検知器３１１の直流電源を商用電源ＡＣ１００Ｖから作る整流回路３１２と共にスレーブ制御部３０１を構成している。
【００２８】
なお、図１ではＡＳ−ｉスレーブＳＬ２が１ビットごとの入出力を行うのみであるが、本来ＡＳ−ｉスレーブＳＬ２は４ビットごとの入出力が可能であり、例えば１台のＡＳ−ｉスレーブＳＬ２に対して４台までのガス漏れ検知部３１１を設けたり、同様に１台のＡＳ−ｉスレーブＳＬ２から４台までのガス遮断弁３２５（後述）に向けてそれぞれガス遮断弁駆動信号Ｓ２を出力することも可能である。
【００２９】
次に、ＡＳ−ｉスレーブＳＬ４は、マイコン３２１と、ガス流量計３２２と、商用電源ＡＣ１００Ｖからガス流量計３２２の直流電源を作る整流回路３２３と共にスレーブ制御部３０２を構成している。
【００３０】
このスレーブ制御部３０２において、ガス流量計３２２は、ガス管ＧＰから図外の起動スイッチの操作によって開かれるガス遮断弁３２５を介してこのガス使用先に供給されるガスの流量を計測し、電気信号３２２ａとして出力する。なお、ガス遮断弁３２５はガス漏れ等の異常時には後述するガス遮断弁駆動信号Ｓ２によって閉鎖される。
【００３１】
ガス流量計３２２のガス流量の計測方法としては、例えば膜の移動体積（つまり、膜の１回毎の往復変位によって膜が占める空間に生ずる体積の変化分）が一定であるような膜を介してガスを移動通過させ、膜の往復変位ごとに発生する電気パルスを計数してガスの通過体積（従ってガスの使用量）を計量する、いわゆる膜式と呼ばれる方法や、ガスが通過する測定管路の上流側と下流側に設けた超音波振動子間で授受される超音波についての、上流側振動子を送信側とし下流側振動子を受信側とする場合と、下流側超音波振動子を送信側とし上流側振動子を受信側とする場合との２つの伝播時間からガスの流速を求めてガス流量を得る超音波式等の各種の方法がある。
【００３２】
マイコン３２１はガス流量計３２２から出力されるガス流量の電気信号３２２ａを入力し、所定期間ごとにその間のガスの使用量を４ビットのガス使用量増分信号Ｓ３に変換してＡＳ−ｉスレーブＳＬ４に送出する。
【００３３】
この図１の構成において、ＡＳ−ｉマスタＭＳは、所定周期でＡＳ−ｉスレーブＳＬ２とＳＬ４のアドレスを順次指定して各スレーブに対し、その入力データをマスタＭＳが受信する旨の受信コマンドを送り、そのつどスレーブＳＬ２とＳＬ４が入力している信号を受信することをサイクリックに繰り返す。
【００３４】
従って、ＡＳ−ｉマスタＭＳは、この受信コマンドの各送出時点でスレーブＳＬ２がガス漏れ検知器３１１よりガス漏れ警報信号Ｓ１を入力していれば、そのガス漏れ警報信号Ｓ１を受信し、同様にスレーブＳＬ４からは、その時点でスレーブＳＬ４がマイコン３２１から入力しているガス使用量増分信号Ｓ３を受信する。
【００３５】
このようにしてＡＳ−ｉマスタＭＳは順次入力したガス使用量増分信号Ｓ３を１または所定の複数期間分ずつ加算し（なお、この加算した信号を便宜上、ガス使用量信号という）、逐次インターネット通信端末機１１０を介し電子メールにして電話回線網２を経てガス会社の管理コンピュータ３に送信する。管理コンピュータ３に送信されたガス使用量信号はガス料金の課金対象となるガス使用者別のガス料金の算出に利用される。
【００３６】
また、ＡＳ−ｉマスタＭＳがガス漏れ警報信号Ｓ１を受信したときは、マスタＭＳは先ず、ＡＳ−ｉスレーブＳＬ２に対し、マスタＭＳがスレーブＳＬ２へ指令を送信する旨の送信コマンドを送り、スレーブＳＬ２がガス遮断弁駆動信号Ｓ２を出力するように指令する。これにより、スレーブＳＬ２はガス遮断弁３２５にガス遮断弁駆動信号Ｓ２を送出しガス遮断弁３２５を遮断閉鎖させる。
【００３７】
次いで、ＡＳ−ｉマスタＭＳは、ガス漏れ警報信号Ｓ１をインターネット通信端末機１１０を介し電子メールにし電話回線網２を経て、予め定められた送信先である警備会社の端末機４または携帯電話６へ送信する。
【００３８】
【発明の効果】
本発明によれば、ガス漏れ警報器が出力するガス漏れ警報信号やガスメータの出力信号を変換して得られるガス使用量増分信号等の、燃料用ガス関連機器の出力信号を入力する、共通伝送路としてのＡＳ−ｉケーブルにマルチドロップ状に接続されたＡＳ−ｉスレーブ、
ＡＳ−ｉケーブルを介してＡＳ−ｉスレーブが入力した信号を定周期で収集するＡＳ−ｉマスタ、
ＡＳ−ｉマスタの収集データを逐次、電話回線網に送出するインターネット通信端末機等からなるＡＳ−ｉオープンネットワークを利用したガス関連機器端末システムを各ガス使用先に構築し、
インターネットの電子メールによりガスの使用量信号（上記ガス使用量増分信号を１または所定の複数期間分ずつ順次加算した信号）を検針処理を行うガス会社の管理コンピュータに伝えたり、ガス漏れ警報信号を予め設定された通報相手としての警備会社の端末機や携帯電話などに通報したりするようにしたので、
特に、ＡＳ−ｉマスタとＡＳ−ｉスレーブを結ぶ伝送路の配線工事が容易になり、電気配線の工数を削減するとともに、安価なガス関連機器端末システム、従ってガス関連機器の広域情報通信システムを実現することができる。
【００３９】
また、ＡＳ−ｉ規格によって作られるＡＳ−ｉスレーブ等の機器はＩＰ６７の防水構造を基本としているので、雨漏り等の保護を別途処理する必要がない。
【００４０】
また、ＡＳ−ｉチップをガス漏れ警報器やガスメータに組み込めばガス関連機器端末システムのさらにコストダウンを図ることができる。
【図面の簡単な説明】
【図１】本発明の一実施例としてシステム構成図
【図２】ＡＳ−ｉネットワークの構成例を示す図
【図３】従来のガス関連機器の広域情報通信システムの構成例を示す図
【符号の説明】
１　　　　　　　　　　　　　ガス関連機器端末システム
２　　　　　　　　　　　　　電話回線網
３　　　　　　　　　　　　　ガス会社の管理コンピュータ
４　　　　　　　　　　　　　警備会社の端末機
５　　　　　　　　　　　　　基地局
６　　　　　　　　　　　　　携帯電話
１００　　　　　　　　　　　マスタ制御部
１１０　　　　　　　　　　　インターネット通信端末機
２００　　　　　　　　　　　ＡＳ−ｉケーブル
３０１，３０２　　　　　　　スレーブ制御部
３１１　　　　　　　　　　　ガス漏れ検知部
３１２　　　　　　　　　　　整流回路
３２１　　　　　　　　　　　マイコン
３２２　　　　　　　　　　　ガス流量計
３２３　　　　　　　　　　　整流回路
３２５　　　　　　　　　　　ガス遮断弁
ＭＳ　　　　　　　　　　　　ＡＳ−ｉマスタ
ＳＬ２，ＳＬ４　　　　　　　ＡＳ−ｉスレーブ
ＡＳ−ｉ＋，ＡＳ−ｉ−　　　ＡＳ−ｉケーブル２００を構成する電線
ＰＳ２　　　　　　　　　　　ＤＣ電源
Ｓ１　　　　　　　　　　　　ガス漏れ警報信号
Ｓ２　　　　　　　　　　　　ガス遮断弁駆動信号
Ｓ３　　　　　　　　　　　　ガス使用量増分信号
【図１】
2004133863.tif 000003
【図２】
2004133863.tif 000004
【図３】
2004133863.tif 000005